(57)【要約】【課題】枠組材の相互の加工バラツキを吸収し、それぞれの連結部に挟着するシーリング材の連続性が向上した水密性の高い出窓の提供を目的とする。【解決手段】出窓の底板保持枠の水平板部は上面にシーリング材貼付台座を有して傾斜面を有し、竪枠は長手方向にタッピングホールを有し、下端を水平にカットしてあり、水平板部に載置して下方からタッピングホールにねじ込んで固定してあり、袖下枠は長手方向にタッピングホールを有し、端面を竪枠の正面側に躯体側から竪枠を挿通したねじをタッピングホールにねじ込んで固定し、下面に有する止水ピースは、シーリング材貼付台座の傾斜面に当接する止水傾斜面を有し、底板は袖下枠及び底板保持枠に支持し、竪枠の下端と水平板部との間に設けた竪枠シーリング材と、シーリング材貼付台座と止水ピースとの間に設けた傾斜面シーリング材と、底板と袖下枠との間に設けた袖下枠シーリング材とが連続している。【選択図】  図１
2006274607.tif 000002
【特許請求の範囲】
【請求項１】
底板保持枠と、竪枠と、袖下枠と、底板とを備え、
底板保持枠は、躯体に対向する垂直板部と、垂直板部から正面に向けて突出する水平板部と、水平板部の下方に位置する底板保持枠側躯体取付フィンとを有し、
水平板部は上面にシーリング材貼付台座を有し、シーリング材貼付台座は側方を向く傾斜面を有し、
竪枠は、長手方向にタッピングホールを有するとともに、下端を水平にカットしてあり且つ竪枠本体部と竪枠本体部から側方に突出する竪枠側躯体取付フィンとを有し、
竪枠本体部は、底板保持枠の垂直板部に当接し且つ水平板部のシーリング材貼付台座よりも垂直板部側に載置して下方から底板保持枠を挿通したねじをタッピングホールにねじ込んで固定してあり、
袖下枠は、長手方向にタッピングホールを有するとともに、垂直にカットした端面を竪枠の正面側に躯体側から竪枠を挿通したねじをタッピングホールにねじ込んで固定してあり且つ下面に止水ピースを有し、
止水ピースは、シーリング材貼付台座の傾斜面に当接する止水傾斜面を有し、且つ竪枠側端面が竪枠の正面側に当接しており、
底板は、袖下枠及び底板保持枠に支持してあり、
竪枠の下端と水平板部との間には竪枠シーリング材が設けてあり、底板と袖下枠との間には袖下枠シーリング材が設けてあり、シーリング材貼付台座と止水ピースは竪枠シーリング材と袖下枠シーリング材との間に位置し且つ両者間には傾斜面シーリング材が設けてあり、竪枠シーリング材と傾斜面シーリング材と袖下枠シーリング材とが連続していることを特徴とする出窓。
【発明の詳細な説明】
【技術分野】
【０００１】
本発明は、建物の屋外開口部に取り付ける出窓に関する。
【背景技術】
【０００２】
出窓の場合は特開平１０−８８９１１号公報のように、竪枠と水切り端部との間にシーリング材（シーラー）を設けたり、底板と袖下枠との間にシーリング材を設けることで出窓内への雨水等の浸入を防止することが一般的に行われているが、開口部屋外側に張り出す大型の構造体であり、施工誤差が発生しやすく、この部分のシーリング材を連続させることが極めて困難であった。
【０００３】
【特許文献１】特開平１０−８８９１１号公報
【発明の開示】
【発明が解決しようとする課題】
【０００４】
本発明は、竪枠、底板保持枠、底板、袖下枠等の相互の加工バラツキを吸収し、それぞれの連結部に挟着するシーリング材の連続性が向上した水密性の高い出窓の提供を目的とする。  
【課題を解決するための手段】
【０００５】
本発明に係る出窓は、底板保持枠と、竪枠と、袖下枠と、底板とを備え、底板保持枠は、躯体に対向する垂直板部と、垂直板部から正面に向けて突出する水平板部と、水平板部の下方に位置する底板保持枠側躯体取付フィンとを有し、水平板部は上面にシーリング材貼付台座を有し、シーリング材貼付台座は側方を向く傾斜面を有し、竪枠は長手方向にタッピングホールを有するとともに、下端を水平にカットしてあり且つ竪枠本体部と竪枠本体部から側方に突出する竪枠側躯体取付フィンとを有し、竪枠本体部は底板保持枠の垂直板部に当接し且つ水平板部のシーリング材貼付台座よりも垂直板部側に載置して下方から底板保持枠を挿通したねじをタッピングホールにねじ込んで固定してあり、袖下枠は長手方向にタッピングホールを有するとともに、垂直にカットした端面を竪枠の正面側に躯体側から竪枠を挿通したねじをタッピングホールにねじ込んで固定してあり且つ下面に止水ピースを有し、止水ピースは、シーリング材貼付台座の傾斜面に当接する止水傾斜面を有し、且つ竪枠側端面が竪枠の正面側に当接しており、底板は袖下枠及び底板保持枠に支持してあり、竪枠の下端と水平板部との間には竪枠シーリング材が設けてあり、底板と袖下枠との間には袖下枠シーリング材が設けてあり、シーリング材貼付台座と止水ピースは竪枠シーリング材と袖下枠シーリング材との間に位置し且つ両者間には傾斜面シーリング材が設けてあり、竪枠シーリング材と傾斜面シーリング材と袖下枠シーリング材とが連続していることを特徴とする。
ここで、正面とは出窓の屋外側をいい、側方とは屋外側から出窓に向かって左右の横方向をいう。
【発明の効果】
【０００６】
本発明においては、底板保持枠の水平板部上面に側方を向く傾斜面を形成したシーリング材貼付台座を有し、袖下枠の下面に止水ピースを取り付け、止水ピースの止水傾斜面をシーリング材貼付台座の傾斜面に当接し、底板は袖下枠及び底板保持枠にて支持し、竪枠の下端と水平板部との間に設けた竪枠シーリング材と、シーリング材貼付台座と止水ピースとの間に設けた傾斜面シーリング材と、底板と袖下枠との間に設けた袖下枠シーリング材とを連続させたので止水性が高い。
すなわち、袖下枠の下面に取り付けた止水ピースの止水傾斜面をシーリング材貼付台座の傾斜面に当接するようにしたので、竪枠の長手方向に有するタッピングホールに底板保持枠の水平板部を挿通したねじをねじ込んで固定し、袖下枠長手方向のタッピングホールに、躯体側から竪枠を挿通したねじをねじ込んで固定する際に、袖下枠が適切な位置に引き寄せられ、しかも傾斜面シーリング材が竪枠シーリング材と袖下枠シーリング材とに連続するので加工バラツキ、施工誤差を吸収して組み付けることができると共に、止水ラインが確実に形成される。
【発明を実施するための最良の形態】
【０００７】
本発明を適用した出窓の例を図面に基づいて以下説明する。
図４に出窓の横断面を示し、図５に正面部のａ−ａ線に相当する出窓の縦断面図を示し、図６に袖部のｂ−ｂ線断面図を示す。
図４に示すように、出窓の袖部に位置する竪枠１０を躯体の外壁部１、及び躯体開口部の側板２に取付部材１２ｂにてネジ固定してある。
図４に示した例では出窓の正面部に引違い窓５を装着し、袖側に嵌殺し窓４を装着していて、引違い窓部と嵌殺し窓部４を立枠２０にて連結している。
【０００８】
図５に示すように出窓の下側は、躯体１に底板保持枠３０を取り付け、底板保持枠３０から正面側に底板４０を張り出して取り付け、その上に断熱材６等を入れて地板７を取り付けてある。
躯体の開口部上部には天板３を取り付けてある。
また、正面側には正面下枠８と正面上枠９を取り付けてその間に引違い障子及び網戸を装着している。
【０００９】
図６に示すように、袖部は底板４０と袖下枠５０を連結し、袖上枠９ａと袖下枠５０との間に嵌殺し窓４を装着してある。
図５及び図６に示すように、正面上枠９、袖上枠９ａには鼻隠し７１を取り付け、その上に屋根７４を取り付けている。
なお、７２は水切り部である。
【００１０】
図１に示すように、底板保持枠３０は躯体に対向する垂直板部３１と、垂直板部から正面に向けて突出する水平板部３２と、水平板部の下面から下方に突出する底板保持枠側躯体取付フィン３３とを有している。
水平板部の上面にシーリング材貼付台座３６を取り付ける。
シーリング材貼付台座３６は、側方に向けて傾斜した傾斜面３６ａを有し、傾斜面シーリング材３７を貼り付ける。
底板の躯体側には取付孔４０ｂを形成してあり、底板保持枠の底板支持部３８に取付孔３８ａを用いてリベット４１止めする。
袖下枠５０は、図１の（ａ）に示すように、長手方向にタッピングホール５０ａを有するとともに、垂直にカットした端面を竪枠１０の正面側に、躯体側から竪枠１０の固定孔１０ｂを挿通したねじ５７をタッピングホール５０ａにねじ込んで固定する。
その際に、竪枠の中空部に裏板５５を当て、袖下枠の端部と竪枠の間にシーリング材５６を配置し、ねじ５７をそれぞれ固定孔５５ａ、５６ａに挿通して挟持する。
袖下枠５０の下面５１に止水ピース５２を取り付けて、図１の（ａ）の状態から（ｂ）に示すように、竪枠と袖下枠を組み立て、底板保持枠に組み付ける。
止水ピース５２は、シーリング材貼付台座の傾斜面３６ａに、傾斜面シーリング材３７を挟持して当接する止水傾斜面５２ａを有し、図３に示すように、止水ピース５２の竪枠側端面が竪枠１０の正面側に当接するように取り付ける。
竪枠１０は長手方向にタッピングホール１０ａを有するとともに、下端を水平にカットしてあり且つ竪枠本体部１１と竪枠本体部から側方に突出する竪枠側躯体取付フィン１２とを有し、竪枠本体部１１は底板保持枠の垂直板部３１に当接し且つ水平板部のシーリング材貼付台座よりも垂直板部側に載置して、下方から底板保持枠の取付孔３４を挿通したねじ３５をタッピングホール１０ａにねじ込んで固定する。
竪枠１０と底板保持枠３０ねじ固定する際に、取付孔１５ａを挿通して竪枠シーリング材１５を挟持する。
袖下枠５０は底板４０とで袖下枠シーリング材５３を挟着するように取付部材５４にて取付孔４０ａ等を用いて取り付ける。
図２にそれぞれのシーリング材の位置関係を示す。
袖下枠５０の垂直にカットした端面を竪枠１０の正面側に、躯体側から竪枠１０の固定孔１０ｂを挿通したねじ５７をタッピングホール５０ａにねじ込んで固定し、竪枠の長手方向に有するタッピングホール１０ａに底板保持枠の水平板部３２を挿通したねじ３５をねじ込んで固定する際に、止水ピース５２の止水傾斜面５２ａをシーリング材貼付台座の傾斜面３６ａに当接しているので袖下枠、竪枠、底板保持枠を相互に引き寄せることができ、加工バラツキや施工バラツキを吸収する。
これにより竪枠の下端と水平板部との間に挟着した竪枠シーリング材１５と、シーリング材貼付台座と止水ピースとの間に挟着した傾斜面シーリング材３７と、底板と袖下枠との間に挟着した袖下枠シーリング材５３とが連続するので水密性が高い。
【図面の簡単な説明】
【００１１】
【図１】出窓の底板保持枠部と竪枠及び袖下枠との止水構造を示す。
【図２】シーリング材を連続させた状態を示す。
【図３】止水ピースと竪枠との位置関係を示す。
【図４】出窓の横断面図を示す。
【図５】出窓のａ−ａ線に相当する縦断面図を示す。
【図６】出窓のｂ−ｂ線に相当する縦断面図を示す（袖部）。
【符号の説明】
【００１２】
１０    竪枠
１１    竪枠本体部
１２    竪枠側躯体取付フィン
１５    竪枠シーリング材
３０    底板保持枠
３１    垂直板部
３２    水平板部
３３    底板保持枠側躯体取付フィン
３６    シーリング材貼付台座
３７    傾斜面シーリング材
４０    底板
５０    袖下枠
５２    止水ピース
５３    袖下枠シーリング材
【図１】
2006274607.tif 000003
【図２】
2006274607.tif 000004
【図３】
2006274607.tif 000005
【図４】
2006274607.tif 000006
【図５】
2006274607.tif 000007
【図６】
2006274607.tif 000008